(57)【要約】      （修正有）【課題】水素供給装置において、水素供給量を調整することが可能な技術を提供する。【解決手段】水素供給装置１０であって、内部に水素が封入されており、所定波長を含む光が照射されることにより水素が透過可能となる中空ガラス体１５と、中空ガラス体に対して、光を照射し、中空ガラス体から内部に封入された水素を放出させる照射部１４と、水素供給装置の外部からの水素要求量に基づいて、照射条件を決定する照射条件決定部２１０と、照射条件に応じて、照射部による中空ガラス体に対する光の照射状態を制御する照射制御部２３０とを備える。【選択図】図２
2008014437.tif 000002
【特許請求の範囲】
【請求項１】
水素供給装置であって、
内部に水素が封入されており、所定波長を含む光が照射されることにより前記水素が透過可能となる中空ガラス体と、
前記中空ガラス体に対して、前記光を照射し、前記中空ガラス体から内部に封入された前記水素を放出させる照射部と、
前記水素供給装置の外部からの水素要求量に基づいて、照射条件を決定する照射条件決定部と、
前記照射条件に応じて、前記照射部による前記中空ガラス体に対する前記光の照射状態を制御する照射制御部と、
を備えることを特徴とする水素供給装置。
【請求項２】
請求項１に記載の水素供給装置において、
前記照射条件決定部は、
前記照射条件として、前記水素要求量に基づいて、前記中空ガラス体に対して前記光を照射する第１目標照射面積を決定し、
前記照射制御部は、
前記中空ガラス体の照射面積が前記第１目標照射面積となるように、前記照射部に前記中空ガラス体に対して前記光を照射させることを特徴とする水素供給装置。
【請求項３】
請求項１または請求項２に記載の水素供給装置において、
前記照射条件決定部は、
前記照射条件として、前記水素要求量に基づいて、前記中空ガラス体に対して照射する前記光の第１目標照射強度を決定し、
前記照射制御部は、
前記中空ガラス体の照射強度が前記第１目標照射強度となるように、前記照射部に前記中空ガラス体に対して前記光を照射させることを特徴とする水素供給装置。
【請求項４】
請求項１ないし請求項３のいずれかに記載の水素供給装置において、
前記中空ガラス体は、
チューブ状であって、曲部を有することを特徴とする水素供給装置。
【請求項５】
請求項４に記載の水素供給装置において、
前記中空ガラス体は、
所定の軸回りにコイル状に巻かれてコイル体として形成され、
前記コイル体は、
内部であって前記軸方向に空隙を有することを特徴とする水素供給装置。
【請求項６】
請求項５に記載の水素供給装置において、
前記照射部は、前記コイル体の前記空隙内に配置されることを特徴とする水素供給装置。
【請求項７】
請求項４に記載の水素供給装置において、
前記中空ガラス体は、
平面に沿って形成されていることを特徴とする水素供給装置。
【請求項８】
請求項１ないし請求項７のいずれかに記載の水素供給装置において、
前記照射制御部は、
前記照射条件に応じて、前記照射部による前記中空ガラス体の前記光の照射状態を制御する場合において、前記中空ガラス体に対して前記光が照射される位置が順次変更するように、前記照射部を制御することを特徴とする水素供給装置。
【請求項９】
請求項１ないし請求項８のいずれかに記載の水素供給装置において、
前記中空ガラス体を複数備え、
前記照射条件決定部は、
前記照射条件として、前記水素要求量に基づいて、前記複数の中空ガラス体のうち、前記光の照射対象とする中空ガラス体を選定すると共に、選定した前記中空ガラス体に対して、前記光を照射する第２目標照射面積を決定し、
前記照射制御部は、
選定した前記中空ガラス体における照射面積が前記第２目標照射面積となるように、前記照射部に、選定した前記中空ガラス体に対して前記光を照射させることを特徴とする水素供給装置。
【請求項１０】
請求項１ないし請求項９のいずれかに記載の水素供給装置において、
前記中空ガラス体を複数備え、
前記照射条件決定部は、
前記照射条件として、前記水素要求量に基づいて、前記複数の中空ガラス体のうち、前記光の照射対象とする中空ガラス体を選定すると共に、選定した前記中空ガラス体に対して、前記光を照射する第２目標照射強度を決定し、
前記照射制御部は、
選定した前記中空ガラス体における照射面積が前記第２目標照射強度となるように、前記照射部に、選定した前記中空ガラス体に対して前記光を照射させることを特徴とする水素供給装置。
【請求項１１】
請求項１ないし請求項１０のいずれかに記載の水素供給装置において、
前記光は、赤外線であることを特徴とする水素供給装置。
【請求項１２】
請求項１ないし請求項１１のいずれかに記載の水素供給装置において、
前記照射部は、赤外線ランプであることを特徴とする水素供給装置。
【請求項１３】
燃料電池システムであって、
請求項１ないし請求項１２のいずれかに記載の水素供給装置と、
前記水素供給装置から燃料ガスとして水素が供給される燃料電池と、
を備えたことを特徴とする燃料電池システム。
【発明の詳細な説明】
【技術分野】
【０００１】
本発明は、内部に水素が貯蔵される中空ガラス体を備えた水素供給装置に関する。
【背景技術】
【０００２】
近年、例えば水素は燃料電池などに用いられ、貴重なエネルギ源として使用される機会が増えており、水素を供給するための水素供給装置の開発がなされている。そして、この水素供給装置の新たな技術として、内部が中空なガラス体（以下では、中空ガラス体と呼ぶ。）に水素を封入し、赤外線を照射することで、中空ガラス体から水素を放出させて、その水素を外部の所定の装置に供給する技術が検討されている（下記非特許文献１，２参照）。
【０００３】
【非特許文献１】A.F.Chabak "Developing Hydrogen Accumulation with High Capacity and Instant Supplying it to Fuel Cells" International Forum  6-10 February 2006 Moscow
【非特許文献２】Douglas B. Rapp,James E.Shelby "Photo-induced hydrogen outgassing of glass" Journal of Non-Crystalline Solids 349(2004) p.254-259
【発明の開示】
【発明が解決しようとする課題】
【０００４】
ところで、上述の従来技術の水素供給装置において、水素供給量を調整して、水素を供給する技術が望まれていた。
【０００５】
本発明は、上記課題に鑑みてなされたもので、水素供給装置において、水素供給量を調整することが可能な技術を提供することを目的とする。
【課題を解決するための手段】
【０００６】
上記目的の少なくとも一部を達成するために、本発明の水素供給装置は、
水素供給装置であって、
内部に水素が封入されており、所定波長を含む光が照射されることにより前記水素が透過可能となる中空ガラス体と、
前記中空ガラス体に対して、前記光を照射し、前記中空ガラス体から内部に封入された前記水素を放出させる照射部と、
前記水素供給装置の外部からの水素要求量に基づいて、照射条件を決定する照射条件決定部と、
前記照射条件に応じて、前記照射部による前記中空ガラス体に対する前記光の照射状態を制御する照射制御部と、
を備えることを要旨とする。
【０００７】
上記構成の水素供給装置によれば、水素供給量を調整することが可能となる。
【０００８】
上記水素供給装置において、
前記照射条件決定部は、
前記照射条件として、前記水素要求量に基づいて、前記中空ガラス体に対して前記光を照射する第１目標照射面積を決定し、
前記照射制御部は、
前記中空ガラス体の照射面積が前記第１目標照射面積となるように、前記照射部に前記中空ガラス体に対して前記光を照射させることが好ましい。
【０００９】
このようにすれば、水素供給量を正確に調整することが可能となる。
【００１０】
上記水素供給装置において、
前記照射条件決定部は、
前記照射条件として、前記水素要求量に基づいて、前記中空ガラス体に対して照射する前記光の第１目標照射強度を決定し、
前記照射制御部は、
前記中空ガラス体の照射強度が前記第１目標照射強度となるように、前記照射部に前記中空ガラス体に対して前記光を照射させることが好ましい。
【００１１】
このようにすれば、水素供給量を正確に調整することが可能となる。
【００１２】
上記水素供給装置において、
前記中空ガラス体は、
チューブ状であって、曲部を有することが好ましい。
【００１３】
このようにすれば、中空ガラス体を所定の単位区間に収納することが可能となる。
【００１４】
なお、「チューブ状」とは、紐状、繊維状、糸状、棒状などの概念を含むものである。また、上記中空ガラス体は、チューブ状であった場合においても、端部が閉じられており、内部に封入されている水素は、端部から放出されることはない。
【００１５】
上記水素供給装置において、
前記中空ガラス体は、
所定の軸回りにコイル状に巻かれてコイル体として形成され、
前記コイル体は、
内部であって前記軸方向に空隙を有することが好ましい。
【００１６】
このようにすれば、中空ガラス体をコンパクトに形成することができる。
【００１７】
なお、「コイル状に巻かれる」とは、三角形、四角形などの多角形状や、環状、または、略環状（半環状など）に巻かれた状態を含む概念である。
【００１８】
上記水素供給装置において、
前記照射部は、前記空隙内に配置されることが好ましい。
【００１９】
このようにすれば、上記空隙部分を照射部の配置スペースに有効利用することができ、水素供給装置を小型することが可能となる。
【００２０】
上記水素供給装置において、
前記中空ガラス体は、
所定の軸回りに中空なコイル状に巻かれてコイル体として形成されていてもよいし、
上記水素供給装置において、
前記照射部は、コイル体の中空部分に配置されていてもよい。
【００２１】
上記水素供給装置において、
前記中空ガラス体は、
平面に沿って形成されていることが好ましい。
【００２２】
このようにすれば、中空ガラス体を単位長さ辺りに収納することが可能となる。
【００２３】
上記水素供給装置において、
前記照射制御部は、
前記照射条件に応じて、前記照射部による前記中空ガラス体の前記光の照射状態を制御する場合において、前記中空ガラス体に対して前記光が照射される位置が順次変更するように、前記照射部を制御することが好ましい。
【００２４】
上記水素供給装置において、
前記中空ガラス体を複数備え、
前記照射条件決定部は、
前記照射条件として、前記水素要求量に基づいて、前記複数の中空ガラス体のうち、前記光の照射対象とする中空ガラス体を選定すると共に、選定した前記中空ガラス体に対して、前記光を照射する第２目標照射面積を決定し、
前記照射制御部は、
選定した前記中空ガラス体における照射面積が前記第２目標照射面積となるように、前記照射部に、選定した前記中空ガラス体に対して前記光を照射させるようにしてもよい。
【００２５】
このようにすれば、水素供給量の調整を行うことが可能となる。
【００２６】
上記水素供給装置において、
前記中空ガラス体を複数備え、
前記照射条件決定部は、
前記照射条件として、前記水素要求量に基づいて、前記複数の中空ガラス体のうち、前記光の照射対象とする中空ガラス体を選定すると共に、選定した前記中空ガラス体に対して、前記光を照射する第２目標照射強度を決定し、
前記照射制御部は、
選定した前記中空ガラス体における照射面積が前記第２目標照射強度となるように、前記照射部に、選定した前記中空ガラス体に対して前記光を照射させるようにしてもよい。
【００２７】
このようにすれば、水素供給量の調整を行うことが可能となる。
【００２８】
上記水素供給装置において、
前記光は、赤外線であることが好ましい。また、この赤外線は、２〜３μｍの波長を含むことが好ましい。
【００２９】
このようにすれば、中空ガラス体からの内部の水素を放出することが可能となる。
【００３０】
上記水素供給装置において、
前記照射部は、赤外線ランプであることが好ましい。
【００３１】
このようにすれば、照射部の制御が容易になる。
【００３２】
上記目的の少なくとも一部を達成するために、本発明の燃料電池システムは、
上記水素供給装置と、
前記水素供給装置から燃料ガスとして水素が供給される燃料電池と、
を備えたことを要旨とする。
【００３３】
上記構成の燃料電池システムによれば、燃料電池に供給される水素供給量を調整することができる。
【００３４】
なお、本発明は、上記した水素供給装置や燃料電池システムなどの態様に限ることなく、上記水素供給装置を備える水素自動車などの他の装置発明としての態様で実現することも可能である。また、これら装置発明の態様に限ることなく、水素供給方法などの方法発明としての態様で実現することも可能である。さらには、それら方法や装置を構築するためのコンピュータプログラムとしての態様や、そのようなコンピュータプログラムを記録した記録媒体としての態様や、上記コンピュータプログラムを含み搬送波内に具現化されたデータ信号など、種々の態様で実現することも可能である。
【００３５】
また、本発明をコンピュータプログラムまたはそのプログラムを記録した記録媒体等として構成する場合には、上記装置の動作を制御するプログラム全体として構成するものとしてもよいし、本発明の機能を果たす部分のみを構成するものとしてもよい。
【発明を実施するための最良の形態】
【００３６】
以下、本発明の実施の形態について、実施例に基づき次の順序で説明する。
Ａ．第１実施例：
Ａ１．燃料電池システム１０００の構成：
Ａ２．水素供給装置１０の構成：
Ａ３．水素供給処理：
Ｂ．第２実施例：
Ｂ１．水素供給処理：
Ｃ．第３実施例：
Ｃ１．水素供給装置１０Ｂの構成：
Ｃ２．水素供給処理：
Ｄ．変形例：
【００３７】
Ａ．第１実施例：
Ａ１．燃料電池システム１０００の構成：
図１は、本発明の第１実施例としての水素供給装置１０を備えた燃料電池システム１０００の構成を示すブロック図である。この燃料電池システム１０００は、水素供給装置１０の他、燃料電池１００と、ブロワ３０と、水素循環ポンプ５０と、パージ弁８０と制御回路４００と、を備えている。
【００３８】
燃料電池１００は、固体高分子型の燃料電池であり、構成単位である単セル（以下単にセルと呼ぶ。）を複数積層したスタック構造を有している。各セルは、電解質膜（図示せず）を挟んでアノード（図示せず）とカソード（図示せず）とを配置した構成となっている。燃料電池１００は、各々のセルのアノード側に水素を含有する燃料ガスを供給し、カソード側に酸素を含有する酸化ガスを供給することで、電気化学反応が進行し、起電力を生じる。燃料電池１００は、生じた電力を燃料電池１００に接続される所定の負荷装置（例えば、モータや蓄電池。）に供給する。なお、燃料電池１００としては、上記した固体高分子型燃料電池の他、水素分離膜型燃料電池や、アルカリ水溶液電解質型や、リン酸電解質型や、あるいは溶融炭酸塩電解質型等、種々のタイプの燃料電池を用いることができる。以下では、燃料電池１００において、燃料ガスが流れる流路をアノード流路４５と呼び、酸化ガスが流れる流路をカソード流路３５と呼ぶ。
【００３９】
本発明の特徴部分である水素供給装置１０は、高圧の水素ガスを供給するための装置であり、燃料ガス供給流路４４を介して燃料電池１００のアノード流路４５に接続されている。この水素供給装置１０についての詳細は後述する。水素供給装置１０から供給される水素は、燃料ガスとして燃料ガス供給流路４４を介して燃料電池１００に供給される。
【００４０】
燃料電池１００のアノード流路４５は、燃料ガス排出流路４６と接続され、この燃料ガス排出流路４６上には、パージ弁８０が設けられている。燃料電池システム１０００の運転中において、パージ弁８０を定期的に開弁することで、アノードで電気化学反応に供された後の燃料ガスは、定期的に、燃料ガス排出流路４６、パージ弁８０を介し外部へ排出される。
【００４１】
燃料ガス排出流路４６において、パージ弁８０よりも燃料ガスを排出する流れ方向に対して上流側の位置から、燃料ガス供給流路４４へ接続されるガス循環流路４７が設けられている。このガス循環流路４７上には、水素循環ポンプ５０が設けられる。アノードで電気化学反応に供された後、燃料電池１００から燃料ガス排出流路４６に排出された燃料ガスは、この水素循環ポンプ５０によってガス循環流路４７を介して燃料ガス供給流路４４に導入される。ガス循環流路４７は、燃料ガスを循環させる役割を担っており、以上のようにして、燃料ガスに含まれる水素ガスは、循環して、燃料ガスとして再び発電に使用される。
【００４２】
ブロワ３０は、酸化ガス供給流路３４を介して燃料電池１００のカソード流路３５に接続されている。ブロワ３０で圧縮された空気は、酸化ガスとして燃料電池１００のカソード流路３５を介してカソードに供給される。また、燃料電池１００のカソード流路３５は、酸化ガス排出流路３６と接続されており、カソードで電気化学反応に供された後の酸化ガスは、酸化ガス排出流路３６に排出される。
【００４３】
制御回路４００は、マイクロコンピュータを中心とした論理回路として構成され、詳しくは、予め設定された制御プログラムに従って所定の演算などを実行するＣＰＵ（図示せず）と、ＣＰＵで各種演算処理を実行するのに必要な制御プログラムや制御データ等が予め格納されたＲＯＭ（図示せず）と、同じくＣＰＵで各種演算処理をするのに必要な各種データが一時的に読み書きされるＲＡＭ（図示せず）と、各種信号を入出力する入出力ポート（図示せず）等を備え、水素供給装置１０、ブロワ３０、水素循環ポンプ５０、パージ弁８０などの燃料電池システム１０００に関する種々の制御を行う。
【００４４】
Ａ２．水素供給装置１０の構成：
図２は、本発明の第１実施例としての水素供給装置１０の概略構成を示す説明図である。本実施例の水素供給装置１０は、図２に示すように、水素貯蔵容器としての中空ガラス集合体２０と、シールパッキン１３と、赤外線ランプ１４と、形状が直方体であり、中空ガラス集合体２０および赤外線ランプ１４を収納するための収納体１１と、供給装置制御回路２００と、収納蓋１２とを備えている。なお、水素供給装置１０において、ｘ方向、ｙ方向、ｚ方向を図２に示すように定める。
【００４５】
この水素供給装置１０では、中空ガラス集合体２０の内部の空洞に赤外線ランプ１４が挿入されて配置される。この赤外線ランプ１４は、供給装置制御回路２００と接続される。供給装置制御回路２００は、収納蓋１２の略中央部に取り付けられて固定されている。収納蓋１２と収納体１１との間には、水素のリークを防止するためのシールパッキン１３が介装され、これらが、ボルト締めされることにより、密閉される。この際、収納体１１の内部において、中空ガラス集合体２０は、収納蓋１２（供給装置制御回路２００）と、収納蓋１２と対向する収納体１１の面との間の押圧力（ｚ方向）によって保持される。
【００４６】
図３は、中空ガラス集合体２０の概略構成を示す説明図である。図３（ａ）は、中空ガラス集合体２０の外面構成を示すと共に、赤外線ランプ１４が中空ガラス集合体２０の内部に挿入された状態を示す図である。図３（ｂ）は、点Ｉを通るｘ−ｙ平面をｚ方向に向かって見た図（点Ｉを通るｘ−ｙ平面図）である。図３（ｃ）は、中空ガラス集合体２０において、中空ガラス体１５を巻くための芯材であり、内部の長手方向（ｚ方向）に空隙を有するボビン１６を示す図である。
【００４７】
中空ガラス集合体２０は、ボビン１６と、中空ガラス体１５とから構成される。この中空ガラス体１５は、１本の細長い紐状（若しくは、繊維状）であり、二酸化珪素（ＳｉＯ２）を主成分とし、鉄系材料（例えば、Ｆｅ３Ｏ４）を含む中空なガラスからなり、この内部には、水素が高圧封入されている。この中空ガラス集合体２０は、ボビン１６に中空ガラス体１５が巻き付けられて円柱状に形成される。この場合、中空ガラス体１５は、図３（ａ）〜（ｃ）に示すように、ボビン１６の左側からｚ方向（右側）に向けて、螺旋状（若しくは、渦状）に繰り返し巻かれて形成される。中空ガラス体１５において、図３（ｂ）に示すように、端部は、それぞれ押圧されてヒレ状に形成されている。中空ガラス集合体２０において、中空ガラス体１５の巻き付けが緩まないように、ボビン１６に対して外側の端部付近は、接着剤により接着されている。
【００４８】
ところで、本実施例では、中空ガラス集合体２０において、中空ガラス体１５は、図３（ａ）の左側からｚ方向に向かって順番に、それぞれガラス体領域１５ａ、ガラス体領域１５ｂ、ガラス体領域１５ｃ、・・・、ガラス体領域１５ｊという具合に複数の領域に分けられる。中空ガラス体１５の長さ、および、中空ガラス体１５に封入される水素量（水素圧）は、燃料電池システム１０００、または、水素供給装置１０の具体的な設計に応じて任意に設定される。
【００４９】
図４は、中空ガラス集合体２０の内側に配置された赤外線ランプ１４の動作を説明するための図である。赤外線ランプ１４は、円柱形であり、後述する供給装置制御回路２００からの指示に基づいて、２〜３μｍ（特に、２．７μｍ）の波長を含有する赤外線（以下では、単に赤外線と呼ぶ。）を所定の強度で全測面から放射可能である。また、この赤外線ランプ１４は、複数の区間に分けられ、このうちの任意の区間において、赤外線を所定の強度で放射可能である。赤外線ランプ１４におけるこれらの区間を、図４の左からｚ方向（右側）に向かって順番に、それぞれ点灯領域１４ａ、１４ｂ、・・・、１４ｊとも呼ぶ。そして、赤外線ランプ１４において、これら複数の区間（点灯領域１４ａ〜１４ｊ）は、中空ガラス体１５におけるガラス体領域１５ａ〜ガラス体領域１５ｊ）のｙ方向への投影面とそれぞれ重なる位置に対応している（図４参照）。これにより、赤外線ランプ１４の任意の点灯領域において赤外線を放射すると、点灯領域に対応した中空ガラス体１５の領域（の内側部分）に対して、赤外線が照射される。例えば、図４に示すように、赤外線ランプ１４において、点灯領域１４ｅから赤外線を放射すると、中空ガラス体１５の領域１５ｅ（の内側部分）に対して赤外線が照射される。
【００５０】
中空ガラス集合体２０の中空ガラス体１５は、赤外線ランプ１４から赤外線を照射されると、内部に封入してある水素を外部に放出する。この水素放出のメカニズムは、以下の通りである。すなわち、中空ガラス体１５において、赤外線ランプ１４から赤外線を照射されていない場合には、中空ガラス体１５に変化はなく、中空ガラス体１５内部に水素が封入された状態のままであるが、赤外線ランプ１４から赤外線を照射されると、中空ガラス体１５が含有する鉄系材料が共振して、分子間距離が広がり、水素分子が通過可能となり、中空ガラス体１５内部の水素が外部に放出される。
【００５１】
供給装置制御回路２００は、マイクロコンピュータを中心とした論理回路として構成され、詳しくは、予め設定された制御プログラムに従って所定の演算などを実行するＣＰＵ（図示せず）と、ＣＰＵで各種演算処理を実行するのに必要な制御プログラムや制御データ等が予め格納されたＲＯＭ（図示せず）と、同じくＣＰＵで各種演算処理をするのに必要な各種データが一時的に読み書きされるＲＡＭ（図示せず）と、各種信号を入出力する入出力ポート（図示せず）等を備え、赤外線ランプ１４を制御する。この供給装置制御回路２００は、制御回路４００と接続される。そして、供給装置制御回路２００は、照射条件決定部２１０と、照射制御部２３０としても機能し、制御回路４００からの指示に基づいて後述の水素供給処理を実行する。
【００５２】
なお、照射条件決定部２１０は、請求項における照射条件決定部に該当し、照射制御部２３０は、請求項における照射制御部に該当し、赤外線ランプ１４は、請求項における照射部に該当する。
【００５３】
ところで、本実施例の水素供給装置１０は、制御回路４００からの指示に基づいて、燃料電池１００に対して水素を供給するための水素供給処理を実行する。
【００５４】
Ａ３．水素供給処理：
図５は、水素供給装置１０が行う水素供給処理のフローチャートである。燃料電池システム１０００において、制御回路４００は、外部から発電情報（発電要求量を表わす情報）を受信すると、水素供給装置１０に対する水素要求量を決定し、それを水素要求情報として、水素供給装置１０（供給装置制御回路２００）に送信する。一方、本実施例の水素供給装置１０において、供給装置制御回路２００は、制御回路４００からの水素要求情報を受信する（ステップＳ１０）。なお、制御回路４００は、外部からの発電情報を受信し、その発電要求量が変化する度に、水素供給装置１０に対して水素要求情報を送信する。
【００５５】
供給装置制御回路２００が水素要求情報を受信すると、照射条件決定部２１０は、水素要求量に基づいて、中空ガラス体１５において、赤外線ランプ１４による赤外線照射の対象とするガラス体領域（以下では、照射対象領域Ｈとも呼ぶ。）の数を決定する。この場合、照射条件決定部２１０は、水素要求量と照射対象領域Ｈの数とが比例するように照射対象領域Ｈの数を決定する。なお、これに限られず、例えば、照射条件決定部２１０は、水素要求量が増えると、照射対象領域Ｈの数も増えるような所定の関数式によって照射対象領域Ｈの数を決定するようにしてもよい。その後、照射条件決定部２１０は、中空ガラス体１５において、各領域のうち、決定した照射対象領域Ｈの数分の照射対象領域Ｈを特定する（ステップＳ２０）。例えば、照射条件決定部２１０は、照射対象領域Ｈの数を決定後、照射対象領域Ｈを特定する場合には、中空ガラス体１５における各ガラス体領域（ガラス体領域１５ａ〜ガラス体領域１５ｊ）のうち、図４の左からｚ方向（右側）に向かって順番に特定するようにする。この場合、決定した照射対象領域Ｈの数が３つであると、特定される各領域は、ガラス体領域１５ａ、ガラス体領域１５ｂ、および、ガラス体領域１５ｃとなる。
【００５６】
次に、照射制御部２３０は、赤外線ランプ１４に、照射対象領域Ｈに対応する点灯領域（図４参照）から赤外線を放射させることにより、中空ガラス体１５の照射対象領域Ｈを対象として、赤外線ランプ１４に赤外線を一定強度で照射させる（ステップＳ３０）。例えば、照射対象領域Ｈが、ガラス体領域１５ａ、ガラス体領域１５ｂ、および、ガラス体領域１５ｃの場合には、照射制御部２３０は、赤外線ランプ１４を制御して、赤外線ランプ１４の点灯領域１４ａ、点灯領域１４ｂ、および、点灯領域１４ｃから赤外線を放射させる。
【００５７】
次に、供給装置制御回路２００は、次の水素要求情報を制御回路４００から受信したか否かを判断する（ステップＳ４０）。
【００５８】
供給装置制御回路２００が、次の水素要求情報を制御回路４００から受信していない場合には（ステップＳ４０：ＮＯ）、ステップＳ３０の処理にリターンして、照射を継続する。
【００５９】
供給装置制御回路２００が、次の水素要求情報を制御回路４００から受信した場合には（ステップＳ４０：ＹＥＳ）、ステップＳ２０の処理にリターンして、再度、照射対象領域Ｈを特定する。
【００６０】
以上のように、本実施例の水素供給装置１０では、水素供給処理（図５）において、制御回路４００からの水素要求量に基づいて、照射対象領域Ｈの数を決定し、その数分の照射対象領域Ｈを対象として、赤外線ランプ１４に赤外線を照射させるようにしている。言い換えれば、この水素供給装置１０は、制御回路４００からの水素要求量に応じて、中空ガラス体１５において、赤外線が照射される面積（以下では、照射面積Ｓとも呼ぶ。）を変更し、中空ガラス体１５からの水素放出量を変更するようにしている。このように本実施例の水素供給装置１０は、水素要求量に応じて、中空ガラス体１５の照射面積を変更することで、燃料電池１００に供給する水素供給量を調整することができる。
【００６１】
以上のように、本実施例の水素供給装置１０では、ボビン１６に各中空ガラス体１５を環状に巻き付けることにより中空ガラス集合体２０を形成するようにしている。このようにすれば、中空ガラス集合体２０をコンパクトに形成することができる。さらに、上記水素供給装置１０では、各中空ガラス体１５に赤外線を照射するための赤外線ランプ１４を中空ガラス集合体２０の空洞部分に配置するようにしている。このようにすれば、中空ガラス集合体２０の空洞部分を赤外線ランプ１４の設置スペースに有効利用することができ、水素供給装置１０をコンパクトに形成することができる。
【００６２】
本実施例の水素供給装置１０では、中空ガラス体１５（水素封入済み）の重さに対して、２０〜４０重量％程度の水素を貯蔵することが可能となる。従って、本実施例の水素供給装置１０は、従来の水素供給装置（水素貯蔵装置）と比較して、飛躍して装置重量を軽減することが可能となる。
【００６３】
Ｂ．第２実施例：
本発明の第２実施例としての水素供給装置１０Ａは、第１実施例の水素供給装置１０と同様の構成を有し、共通する部分については同じ参照番号を付して詳しい説明は省略する。本実施例の水素供給装置１０Ａは、第１実施例の水素供給装置１０が行う水素供給処理（図５）とは異なる水素供給処理を実行する。なお、以下では、燃料電池システム１０００において、第１実施例の水素供給装置１０の代わりに、本実施例の水素供給装置１０Ａが用いられることとする。
【００６４】
Ｂ１．水素供給処理：
図６は、第２実施例としての水素供給装置１０Ａが行う水素供給処理のフローチャートである。燃料電池システム１０００において、制御回路４００は、外部から発電情報（発電要求量を表わす情報）を受信すると、水素供給装置１０に対する水素要求量を決定し、それを水素要求情報として、水素供給装置１０（供給装置制御回路２００）に送信する。一方、本実施例の水素供給装置１０において、供給装置制御回路２００は、制御回路４００からの水素要求情報を受信する（ステップＳ１１０）。なお、制御回路４００は、外部からの発電情報を受信し、その発電要求量が変化する度に、水素供給装置１０Ａに対して水素要求情報を送信する。
【００６５】
供給装置制御回路２００が水素要求情報を受信すると、照射条件決定部２１０は、水素要求量に基づいて、赤外線ランプ１４から照射する赤外線の照射強度Ｏを決定する（ステップＳ１２０）。この場合、照射条件決定部２１０は、水素要求量と照射強度Ｏとが比例するように照射強度Ｏを決定する。なお、これに限られず、例えば、照射条件決定部２１０は、水素要求量が増えると照射強度Ｏも増えるような所定の関数式するように照射強度Ｏを決定するようにしてもよい。
【００６６】
次に、照射制御部２３０は、赤外線ランプ１４の全点灯領域（点灯領域１４ａ〜点灯領域１４ｊ：図４参照）から照射強度Ｏで赤外線を放射させることにより、中空ガラス体１５の全ガラス体領域（ガラス体領域１５ａ〜ガラス体領域１５ｊ：図４参照）を対象として、赤外線ランプ１４に赤外線を照射強度Ｏで照射させる（ステップＳ１３０）。
【００６７】
次に、供給装置制御回路２００は、次の水素要求情報を制御回路４００から受信したか否かを判断する（ステップＳ１４０）。
【００６８】
供給装置制御回路２００が、次の水素要求情報を制御回路４００から受信していない場合には（ステップＳ１４０：ＮＯ）、ステップＳ１３０の処理にリターンして、照射を継続する。
【００６９】
供給装置制御回路２００が、次の水素要求情報を制御回路４００から受信した場合には（ステップＳ１４０：ＹＥＳ）、ステップＳ１２０の処理にリターンして、再度、照射強度Ｏを決定する。
【００７０】
以上のように、本実施例の水素供給装置１０Ａでは、水素供給処理（図６）において、制御回路４００からの水素要求量に基づいて、照射強度Ｏを決定し、その照射強度Ｏで、中空ガラス体１５に対して赤外線を照射させるようにしている。言い換えれば、この水素供給装置１０Ａは、制御回路４００からの水素要求量に応じて、中空ガラス体１５に対して照射される赤外線の照射強度Ｏを変更し、中空ガラス体１５からの水素放出量を変更するようにしている。このように本実施例の水素供給装置１０Ａは、水素要求量に応じて、照射強度Ｏを変更することで、燃料電池１００に供給する水素供給量を調整することができる。
【００７１】
Ｃ．第３実施例：
Ｃ１．水素供給装置１０Ｂの構成：
図７は、本発明の第３実施例としての水素供給装置１０Ｂの概略構成を示す説明図である。水素供給装置１０Ｂは、第１実施例の水素供給装置１０と類似する構成を有し、共通する部分については同じ参照番号を付して詳しい説明は省略する。本実施例の水素供給装置１０Ｂと第１実施例の水素供給装置１０との相違点は、以下の通りである。すなわち、本実施例の水素供給装置１０Ｂは、赤外線ランプ１４を備えておらず、また、第１実施例の水素供給装置１０における中空ガラス集合体２０とは異なる中空ガラス集合体２０Ｂを備えている。なお、以下では、燃料電池システム１０００において、第１実施例の水素供給装置１０の代わりに、本実施例の水素供給装置１０Ｂが用いられることとする。
【００７２】
図８は、本実施例の中空ガラス集合体２０Ａの概略構成を示す説明図である。詳しくは、図８（ａ）は、図６における点Ｊを通るｘ−ｚ平面をｙ方向に向かって見た図であり、図８（ｂ）は、図８（ａ）におけるＢ−Ｂ断面をｘ方向から見た図の一部である。なお、この図８（ａ）において、収納体１１やシールパッキン１３は省略されている。
【００７３】
中空ガラス集合体２０Ｂは、図８（ａ）に示すように、電極配線基盤１７ａと、電極基盤１７ｂと、複数の中空ガラス体１５ＢＢと、熱線１４ＢＢとから構成される。
【００７４】
中空ガラス体１５ＢＢは、細長い棒状であり、二酸化珪素（ＳｉＯ２）を主成分とし、鉄系材料（例えば、Ｆｅ３Ｏ４）を含む中空なガラスからなり、この内部には、水素が高圧封入されている。なお、中空ガラス集合体２０Ｂにおいて、中空ガラス体１５ＢＢの数、中空ガラス体１５ＢＢの長さ、および、中空ガラス体１５ＢＢに封入される水素量（水素圧）等は、水素供給装置１０Ｂの具体的な設計に応じて任意に設定される。
【００７５】
熱線１４ＢＢは、通電すると、２〜３μｍ（特に、２．７μｍ）の波長を含有する赤外線を放射する。この中空ガラス集合体２０Ｂは、図８（ａ），（ｂ）に示すように、熱線１４ＢＢと中空ガラス体１５ＢＢとが交互に同方向に並べられて配置され、直方体をした束状に形成される。これにより、熱線１４ＢＢからの赤外線は、隣接する中空ガラス体１５ＢＢの側面に照射される。熱線１４ＢＢは、端部がそれぞれ電極配線基盤１７ａ、電極基盤１７ｂにメタル溶着によって接続される。このようにすれば、熱線１４ＢＢと、電極配線基盤１７ａまたは電極基盤１７ｂとの接触面積を高くすることができる。また、中空ガラス体１５ＢＢは、電極配線基盤１７ａと電極基盤１７ｂとの間の押圧力によって保持される。電極配線基盤１７ａと電極基盤１７ｂは、それぞれ供給装置制御回路２００Ｂに接続される。
【００７６】
供給装置制御回路２００Ｂは、燃料電池システム１０００の制御回路４００と接続される。そして供給装置制御回路２００Ｂは、照射条件決定部２１０Ｂと、照射制御部２３０Ｂとしても機能し、制御回路４００からの指示に基づいて後述の水素供給処理を実行する。特に、照射制御部２３０Ｂは、電極配線基盤１７ａおよび電極基盤１７ｂを介して、全ての熱線１４ＢＢに通電させる制御を行う。この場合、照射制御部２３０Ｂは、熱線１４ＢＢに通電させる電力を調整可能であり、これにより、熱線１４ＢＢから照射される赤外線の照射強度ＯＢを調整することができる。
【００７７】
ところで、本実施例の水素供給装置１０Ｂは、制御回路４００からの指示に基づいて、燃料電池１００に対して水素を供給するための水素供給処理を実行する。
【００７８】
Ｃ２．水素供給処理：
図９は、水素供給装置１０Ｂが行う水素供給処理のフローチャートである。この水素供給処理前では、中空ガラス集合体２０Ｂの各中空ガラス体１５ＢＢに封入されている水素量は、同量であるとする。
【００７９】
燃料電池システム１０００において、制御回路４００は、外部から発電情報（発電要求量を表わす情報）を受信すると、水素供給装置１０Ｂに対する水素要求量を決定し、それを水素要求情報として、水素供給装置１０Ｂ（供給装置制御回路２００Ｂ）に送信する。一方、本実施例の水素供給装置１０Ｂにおいて、供給装置制御回路２００Ｂは、制御回路４００からの水素要求情報を受信する（ステップＳ２１０）。なお、制御回路４００は、外部からの発電情報を受信し、その発電要求量が変化する度に、水素供給装置１０Ｂに対して水素要求情報を送信する。
【００８０】
供給装置制御回路２００Ｂが水素要求情報を受信すると、照射条件決定部２１０Ｂは、水素要求量に基づいて、熱線１４ＢＢから照射する赤外線の照射強度ＯＢを決定する（ステップＳ２２０）。この場合、照射条件決定部２１０Ｂは、水素要求量と照射強度ＯＢとが比例するように照射強度ＯＢを決定する。なお、これに限られず、例えば、照射条件決定部２１０Ｂは、水素要求量が増えると照射強度ＯＢも増えるような所定の関数式によって照射強度ＯＢを決定するようにしてもよい。
【００８１】
次に、照射制御部２３０は、熱線１４ＢＢに通電させる電力を調整し、全中空ガラス体１５ＢＢを対象として、全熱線１４ＢＢに照射強度ＯＢの赤外線を照射させる（ステップＳ２３０）。
【００８２】
次に、供給装置制御回路２００Ｂは、次の水素要求情報を制御回路４００から受信したか否かを判断する（ステップＳ２４０）。
【００８３】
供給装置制御回路２００Ｂが、次の水素要求情報を制御回路４００から受信していない場合には（ステップＳ２４０：ＮＯ）、ステップＳ２３０の処理にリターンして、照射を継続する。
【００８４】
供給装置制御回路２００Ｂが、次の水素要求情報を制御回路４００から受信した場合には（ステップＳ２４０：ＹＥＳ）、ステップＳ２２０の処理にリターンして、再度、照射強度ＯＢを決定する。
【００８５】
以上のように、本実施例の水素供給装置１０Ｂでは、水素供給処理（図９）において、制御回路４００からの水素要求量に基づいて、照射強度ＯＢを決定し、その照射強度ＯＢで、中空ガラス体１５ＢＢに対して赤外線を照射させるようにしている。言い換えれば、この水素供給装置１０Ｂは、制御回路４００からの水素要求量に応じて、中空ガラス体１５ＢＢに対して照射される赤外線の照射強度ＯＢを変更し、中空ガラス体１５ＢＢからの水素放出量を変更するようにしている。このように本実施例の水素供給装置１０Ｂは、水素要求量に応じて、照射強度を変更することで、燃料電池１００に供給する水素供給量を調整することができる。
【００８６】
以上のように、本実施例の水素供給装置１０Ｂでは、中空ガラス集合体２０Ｂにおいて、各中空ガラス体１５ＢＢと熱線１４ＢＢとを同方向に並べ交互に配置し、一緒の束にして構成すること可能である（図７、図８参照）。このようにすれば、第１実施例の水素供給装置１０のように、赤外線ランプ１４を設置するスペースを確保する必要がないので、水素供給装置１０Ｂをコンパクトに形成することができる。
【００８７】
上記水素供給装置１０Ｂでは、中空ガラス体１５ＢＢ（水素封入済み）の重さに対して、２０〜４０重量％程度の水素を貯蔵することが可能となる。従って、本実施例の水素供給装置１０Ｂでは、従来の水素供給装置（水素貯蔵装置）と比較して、飛躍して装置重量を軽減することが可能となる。
【００８８】
Ｄ．変形例：
なお、本発明では、上記した実施の形態に限られるものではなく、その要旨を逸脱しない範囲において種々の態様にて実施することが可能である。
【００８９】
Ｄ１．変形例１：
上記第１実施例の水素供給装置１０では、水素供給処理（図５）において、水素要求量に応じて、照射対象領域Ｈの数を変えることで、中空ガラス体１５の照射面積を変更し、それにより、水素供給量を調整するようにしているが、本発明は、これに限られるものではない。例えば、水素供給装置１０は、水素要求量に応じて、中空ガラス体１５の照射面積と共に、中空ガラス体１５に対する赤外線の照射強度を変更し、それにより、水素供給量を調整するようにしてもよい。このようにすれば、水素供給量の調整をより正確に行うことが可能となる。
【００９０】
Ｄ２．変形例２：
図１０は、中空ガラス集合体２０を複数の中空ガラス体１５から構成した例を示す説明図である。上記第１または第２実施例の水素供給装置では、水素供給処理において、１つの中空ガラス体１５を対象として、照射面積や照射強度を変更することで、水素供給量の調整を行うようにしているが、本発明は、これに限られるものではない。水素供給装置が、例えば、図１０に示すように、複数の中空ガラス体１５から構成される場合には、各中空ガラス体１５のそれぞれで、上述の水素供給処理のごとく、照射面積や照射強度を変更することで、全体の水素供給量の調整を行うようにしてもよい。このようにすれば、水素供給装置が複数の中空ガラス体から構成されていても、水素供給量の調整を行うことが可能となる。なお、上記各中空ガラス体１５は、ボビン１６の左側からｚ方向（右側）に向けて、ボビン１６の所定領域ごとに螺旋状（若しくは、渦状）に繰り返し巻かれて形成されている（図１０参照）。
【００９１】
また、水素供給装置が、図１０に示すように、複数の中空ガラス体１５から構成される場合には、この水素供給装置において、照射条件決定部２１０は、制御回路４００からの水素要求量に基づいて、複数の中空ガラス体１５のうち、赤外線の照射対象とする中空ガラス体１５を選定すると共に、選定した中空ガラス体１５に対して、赤外線を照射する目標照射面積を決定し、照射制御部２３０は、選定した前記中空ガラス体における照射面積が、照射条件決定部２１０が決定した目標照射面積となるように、赤外線ランプ１４に選定した中空ガラス体１５に対して赤外線を照射させるようにしてもよい。また、この水素供給装置において、制御回路４００からの水素要求量に基づいて、複数の中空ガラス体１５のうち、赤外線の照射対象とする中空ガラス体１５を選定すると共に、選定した中空ガラス体１５に対して、赤外線を照射する目標照射強度を決定し、照射制御部２３０は、選定した前記中空ガラス体における照射強度が、照射条件決定部２１０が決定した目標照射強度となるように、赤外線ランプ１４に選定した中空ガラス体１５に対して赤外線を照射させるようにしてもよい。水素供給装置が複数の中空ガラス体から構成されていても、水素供給量の調整を行うことが可能となる。
【００９２】
Ｄ３．変形例３：
上記第１または第２実施例の水素供給装置では、中空ガラス集合体２０において、中空ガラス体１５は、ボビン１６に巻かれて円柱状に形成されたもの用いているが、本発明は、これに限られるものではない。以下のように、少なくとも１以上の曲部を備えた中空ガラス体１５を用いるようにしてもよい。この場合、例えば、多角柱（三角柱、五角柱など。）のボビンを用意し、中空ガラス体１５をそのボビンに沿って多角形状に巻くことにより、中空ガラス体１５を、多角柱状に形成したものを用いるようにしてもよい。中空ガラス体１５を、半円柱状に形成したものを用いるようにしてもよい。また、中空ガラス体１５を、平面に沿ってギザギザ状、波状、蛇腹状に形成したものを用いるようにしてもよい。さらには、中空ガラス体をドーナツ状（または、リング状）に形成したものを用いるようにしてもよい。これらのようにしても、上記実施例の効果を奏することができる。なお、上記第１または第２実施例および本変形例の水素供給装置において、ボビン１６を備えない構成としてもよい。このようにすれば、水素供給装置１０の重量を軽減することが可能となる。
【００９３】
Ｄ４．変形例４：
上記第１または第２実施例の水素供給装置において、１つの赤外線ランプ１４によって、中空ガラス体１５の各ガラス体領域（ガラス体領域１５ａ〜ガラス体領域１５ｊ）に赤外線を照射可能にしているが、本発明は、これに限られるものではない。例えば、水素供給装置において、複数の赤外線ランプを設け、中空ガラス集合体２０の各ガラス体領域にそれぞれ照射可能なように配置するようにしてもよい。このようにしても、上記実施例の効果を奏することができる。
【００９４】
Ｄ５．変形例５：
上記第１実施例の水素供給装置１０において、図４に示す中空ガラス体１５の各ガラス体領域（ガラス体領域１５ａ〜ガラス体領域１５ｊ）は、以下のように区分されていてもよい。例えば、ｚ方向において等分になるように区分されていてもよい。また、図４の左側からｚ方向に向けて徐々に間隔が小さくなるように区分されていてよいし、逆に、図４の左側からｚ方向に向けて徐々に間隔が大きくなるように区分されていてもよい。この区分は、燃料電池システム１０００や水素供給装置１０の具体的な設計によって、適宜決定される。
【００９５】
Ｄ６．変形例６：
上記燃料電池システム１０００において、制御回路４００は、水素供給装置１０に備えられていてもよい。
【００９６】
Ｄ７．変形例７：
上記第３実施例の水素供給装置１０Ｂにおいて、各中空ガラス体１５ＢＢは、棒状としているが、本発明は、これに限られるものではない。例えば、各中空ガラス体を紐状、若しくは繊維状としてもよい。このようにしても上記実施例と同様の効果を奏することができる。
【００９７】
Ｄ８．変形例８：
上記実施例の水素供給装置は、燃料電池システム１０００に用いられているが、本発明は、これに限られるものではない。上記実施例の水素供給装置を、水素の供給が必要な他のシステム、例えば、水素エンジンを備えたシステムにおいて、用いるようにしてもよい。
【００９８】
Ｄ９．変形例９：
上記燃料電池システム１０００の燃料ガス供給流路４４、若しくは、水素供給装置１０の出口部分等に流量センサや圧力センサを設けるようにしてもよい。そして、上記第１または第２実施例の水素供給装置は、水素供給処理において、水素供給装置から燃料ガス供給流路４４に供給される水素供給量や水素供給圧力を検出し、これら水素供給量や水素供給圧力に基づいて、フィードバック制御を行うようにしてもよい。
【００９９】
Ｄ１０．変形例１０：
上記実施例の水素供給装置では、中空ガラス体を構成するガラスは、赤外線ランプ若しくは熱線からの赤外線によって共振する鉄系材料を含むものとしたが、本発明は、これに限られるものではない。中空ガラス体を構成するガラスは、一般に、照射装置から照射される所定波長を有する照射光が照射されることによって共振する所定の物質を含み、照射光が照射されたときに、上記物質が共振して分子間の距離が広がることによって、封入された水素が透過可能となるガラスであればよい。この場合の所定波長、および、所定の物質の組み合わせは、適宜選択可能である。このようにしても上記実施例と同様の効果を奏することができる。
【０１００】
Ｄ１１．変形例１１：
上記第１または第２実施例の水素供給装置では、中空ガラス集合体２０のボビン１６の内側に赤外線ランプ１４を配置するものとしたが、中空ガラス集合体２０の外側に赤外線ランプ１４を配置するものとしてもよい。このようにすれば、ボビン１６の直径を小さくして、内部の空隙を小さくすることができ、その分の中空ガラス体１５をボビン１６に多く巻くことができる。
【０１０１】
Ｄ１２．変形例１２：
上記第１または第２実施例の水素供給装置では、供給装置制御回路が、水素供給装置内であって、収納蓋１２の内側に取り付けられているが、本発明は、これに限られるものではない。供給装置制御回路において、例えば、水素供給装置の外部など、赤外線ランプから離れた位置に設けるようにしてもよい。この場合、例えば、供給装置制御回路と赤外線ランプとの間は、所定の信号線で結ばれている。このようにすれば、赤外線ランプが放射する赤外線によって加熱されることを抑制することができる。
【０１０２】
Ｄ１３．変形例１３：
上記第１実施例または上記変形例１の水素供給装置１０は、水素供給処理（図５）において、中空ガラス体１５の照射対象領域Ｈを対象として、赤外線を照射させている場合に、制御回路４００から次の水素要求情報を受信するまで、その照射対象領域Ｈを対象として、赤外線を照射させているが、本発明は、これに限られるものではない。例えば、水素供給装置１０は、照射対象領域Ｈを対象として、赤外線を照射させている場合に、所定時間経過すると、再度、それまで照射していた照射対象領域Ｈの数分の照射対象領域Ｈを特定しなおして、その照射対象領域Ｈを対象として、赤外線を照射させるようにしてもよい。このように、水素供給装置１０は、中空ガラス体１５の照射対象領域Ｈを順次変更して、赤外線を照射するようにしてもよい。
【０１０３】
Ｄ１４．変形例１４：
上記第１または第２実施例の水素供給装置では、中空ガラス集合体２０（中空ガラス体１５）の空洞部に、赤外線ランプ１４を配置し、赤外線ランプ１４において、赤外線を照射する点灯領域（点灯領域１４ａ〜１４ｊ）の数を変化させることで、中空ガラス体１５に照射する赤外線の照射面積を変化させるようにしているが、本発明は、これに限られるものではない。例えば、水素供給装置において、中空ガラス集合体２０（中空ガラス体１５）の空洞部に対して、赤外線ランプ１４を相対的に出し入れすることにより、赤外線ランプ１４が中空ガラス体１５に照射する赤外線の照射面積を変化させるようにしてもよい。この場合、静止した中空ガラス集合体２０に対して、赤外線ランプ１４を可動させて中空ガラス集合体２０の空洞部に赤外線ランプ１４を挿入するようにしてもよい。また、静止した赤外線ランプ１４に、中空ガラス集合体２０を可動させて、中空ガラス集合体２０の空洞部に赤外線ランプ１４が挿入するようにしてもよい。さらに、赤外線ランプ１４と中空ガラス集合体２０の双方を可動させて、中空ガラス集合体２０の空洞部に赤外線ランプ１４が挿入するようにしてもよい。このようにしても、中空ガラス体１５に照射する赤外線の照射面積を変化させることができ、上記実施例と同様の効果を奏することができる。
【図面の簡単な説明】
【０１０４】
【図１】本発明の第１実施例としての水素供給装置１０を備えた燃料電池システム１０００の構成を示すブロック図である。
【図２】本発明の第１実施例としての水素供給装置１０の概略構成を示す説明図である。
【図３】中空ガラス集合体２０の概略構成を示す説明図である。
【図４】中空ガラス集合体２０の内側に配置された赤外線ランプ１４の動作を説明するための図である。
【図５】水素供給装置１０が行う水素供給処理のフローチャートである。
【図６】第２実施例としての水素供給装置１０Ａが行う水素供給処理のフローチャートである。
【図７】本発明の第３実施例としての水素供給装置１０Ｂの概略構成を示す説明図である。
【図８】第３実施例の中空ガラス集合体２０Ａの概略構成を示す説明図である。
【図９】水素供給装置１０Ｂが行う水素供給処理のフローチャートである。
【図１０】中空ガラス集合体２０を複数の中空ガラス体１５から構成した例を示す説明図である。
【符号の説明】
【０１０５】
１０，１０Ａ，１０Ｂ...水素供給装置
１１...収納体
１２...収納蓋
１３...シールパッキン
１４...赤外線ランプ
１４ＢＢ...熱線
１５，１５ＢＢ...中空ガラス体
１６...ボビン
１７ａ...電極配線基盤
１７ｂ...電極基盤
２０，２０Ａ，２０Ｂ...中空ガラス集合体
３０...ブロワ
３４...酸化ガス供給流路
３５...カソード流路
３６...酸化ガス排出流路
４４...燃料ガス供給流路
４５...アノード流路
４６...燃料ガス排出流路
４７...ガス循環流路
５０...水素循環ポンプ
８０...パージ弁
１００...燃料電池
２００，２００Ｂ...供給装置制御回路
２１０，２１０Ｂ...照射条件決定部
２３０，２３０Ｂ...照射制御部
４００...制御回路
１０００...燃料電池システム
【図１】
2008014437.tif 000003
【図２】
2008014437.tif 000004
【図３】
2008014437.tif 000005
【図４】
2008014437.tif 000006
【図５】
2008014437.tif 000007
【図６】
2008014437.tif 000008
【図７】
2008014437.tif 000009
【図８】
2008014437.tif 000010
【図９】
2008014437.tif 000011
【図１０】
2008014437.tif 000012